(57)【要約】      （修正有）【課題】オス部材とメス部材とをしっかりと係合したり簡単に取り外したりすることができるクイックバックルを提供する。【解決手段】クイックバックルは、係合方向Ｚ、押圧方向Ｘ、引張方向Ｙに基づき、メス部材１０、オス部材２０、係合強化構造を有する。メス部材は、底面に係合方向Ｚに沿って凹設される凹部１２３と、凹部の周囲に形成される内周面１２４と、押圧方向Ｘの相対する内周面両側に形成される２つの係合穴１２５を備えるメス係合部１２を有し、オス部材は、下方からメス部材に着脱可能に凹部１２３に嵌め込まれ、前端には、押圧方向Ｘの両側にそれぞれ押圧アーム１２７が引張方向Ｙに沿って延設され、各押圧アームの末端に係合ブロック２２１１が凸設され、通常状態において、係合ブロックが係合穴１２５に係合するオス係合部２２を有する。係合強化構造は、引張方向Ｙに沿ってオス部材とメス部材にそれぞれ設置されて互いに嵌合する掛け溝と掛けブロック３１を有する。【選択図】図３
0003196242.tif 000002
【実用新案登録請求の範囲】
【請求項１】
縦方向の係合方向Ｚと、
該係合方向Ｚと交差する押圧方向Ｘと、
前記押圧方向Ｘと交差すると共に、前記係合方向Ｚと直角な引張方向Ｙとに基づき、
前記引張方向Ｙに沿って排列するメス連接部及びメス係合部を有し、該メス係合部は、底面と、係合方向Ｚに沿って該底面に凹設される凹部と、該底面と隣接するように凹部の周囲に形成される内周面と、該内周面における、押圧方向Ｘの相対する両側に形成される２つの係合穴を備えるメス部材と、
着脱可能に下方から前記メス部材に組み合わせられ、前記引張方向Ｙに沿って排列するオス連接部及びオス係合部を有し、そのうちオス係合部は着脱可能にメス係合部の凹部に嵌め込まれ、該オス係合部は、前端における、押圧方向Ｘの両側にそれぞれ押圧アームが引張方向Ｙに沿って延設され、該各押圧アームの末端に係合ブロックが凸設され、通常の状態においては、該係合ブロックがメス部材の係合穴に係合されるオス部材と、
前記オス部材とメス部材との間に、前記引張方向Ｙに沿って設置されると共に、該オス部材及びメス部材を引張方向Ｙの反対両側へ引っ張る力に抵抗するための係合強化構造と、を有することを特徴とする、
クイックバックル。
【請求項２】
前記掛け溝が、係合方向Ｚに沿ってオス部材のオス係合部とオス連接部との間に凹設され、
前記掛けブロックが、係合方向Ｚに沿ってメス部材のメス係合部に凸設され、且つ着脱可能に掛け溝に嵌合されることを特徴とする請求項１に記載のクイックバックル。
【請求項３】
前記掛けブロックが、係合方向Ｚに沿ってオス部材のオス係合部とオス連接部との間に凸設され、
前記掛け溝が、係合方向Ｚに沿ってメス部材のメス係合部に凹設され、且つ着脱可能に掛け溝に嵌合されることを特徴とする請求項１に記載のクイックバックル。
【請求項４】
前記メス部材のメス係合部に底面と隣接する端面が設けられ、該端面に凹部と連通する引張方向Ｙの開口が形成され、
前記係合強化構造の掛けブロックがメス部材のメス係合部の開口に凸設されることを特徴とする請求項２に記載のクイックバックル。
【請求項５】
前記メス部材のメス係合部はさらに、２つの第一ガイド斜面を有し、該第一ガイド斜面は、底面と内周面の隣接した箇所かつ係合穴の近傍に凹部に向かって斜めに形成され、
前記オス部材のオス係合部の押圧アームの係合ブロックに第二ガイド斜面が形成されることを特徴とする請求項１乃至４の何れか１項に記載のクイックバックル。
【請求項６】
前記係合方向Ｚ、押圧方向Ｘ、引張方向Ｙがそれぞれ直角に交差することを特徴とする請求項１乃至４の何れか１項に記載のクイックバックル。
【請求項７】
前記係合方向Ｚ、押圧方向Ｘ、引張方向Ｙがそれぞれ直角に交差することを特徴とする請求項５に記載のクイックバックル。
【請求項８】
前記メス部材のメス係合部の押圧方向Ｘの両側にそれぞれ押圧アームが引張方向Ｙに沿って延設され、該各押圧アームに当接ブロックが凸設され、該当接ブロックが選択可能に係合穴に嵌め込まれ、
前記押圧アームの係合ブロックがメス部材の係合穴を通過して押圧アームの当接ブロックと当接することを特徴とする請求項１乃至７の何れか１項に記載のクイックバックル。
【考案の詳細な説明】
【技術分野】
【０００１】
本考案は、特にオス部材及びメス部材を強固に係合したり簡単に取り外したりすることができるバックルに関するものである。
【背景技術】
【０００２】
図８及び図９に示すように、既存のクイックバックルは、係合方向Ｐと、該係合方向Ｐと交差する押圧方向Ｑとに基づき、メス部材５０と、オス部材６０を有し、その内、メス部材５０は、一端に押圧方向Ｑの連結部５１が設けられると共に、他端に連結部５１に対して係合方向Ｐに沿って排列する係合部５２が設けられ、該係合部５２の先端に挿設凹部５２１が係合方向Ｐに沿って凹設され、該係合部５２の両側にそれぞれ係合穴５２２が押圧方向Ｑに沿って形成され、該係合穴５２２は挿設凹部５２１と連通する。更に、前記オス部材６０は、一端に押圧方向Ｑの連接部６１が設けられると共に、他端に連接部６１に対して係合方向Ｐに沿って排列する係合部６２が設けられ、該係合部６２における押圧方向Ｑの両側にそれぞれ弾性アーム６２１が係合方向Ｐに沿って延設され、該各弾性アーム６２１の先端に係合ブロック６２２が押圧方向Ｑに沿って外側へ凸設される。
【０００３】
前記既存のクイックバックルのメス部材５０及びオス部材６０を組み合わせる時は、まずオス部材６０の係合部６２を、押圧方向Ｑに沿って互いに接近させるように押圧しながら、係合方向Ｐに沿ってメス部材５０の係合部５２の挿設凹部５２１に差し込み、そして、２つの係合部６２を放すと、係合部６２の係合ブロック６２２が係合穴５２２に係合する。この構造によれば、オス部材６０の連接部６１が取り付けられたベルトとメス部材５０の連結部５１に取り付けられたベルトとを連結することができる。
【考案の概要】
【考案が解決しようとする課題】
【０００４】
しかしながら、前記クイックバックルは、使用する時に、そのオス部材の連接部が取り付けられたベルトとメス部材の連結部に取り付けられたベルトとをそれぞれ係合方向Ｐの反対両側へ引っ張る時に、そのオス部材及びメス部材に引っ張る力を耐えられないと、弾性アーム及び係合ブロックが壊れる恐れがあった。
【課題を解決するための手段】
【０００５】
本考案に係るクイックバックルは、
縦方向の係合方向Ｚと、
該係合方向Ｚと交差する押圧方向Ｘと、
前記押圧方向Ｘと交差すると共に、前記係合方向Ｚと直角な引張方向Ｙとに基づき、
前記引張方向Ｙに沿って排列するメス連接部及びメス係合部を有し、該メス係合部は、底面と、係合方向Ｚに沿って該底面に凹設される凹部と、該底面と隣接するように凹部の周囲に形成される内周面と、該内周面における、押圧方向Ｘの相対する両側に形成される２つの係合穴を備えるメス部材と、
着脱可能に下方から前記メス部材に組み合わせられ、前記引張方向Ｙに沿って排列するオス連接部及びオス係合部を有し、そのうちオス係合部は着脱可能にメス係合部の凹部に嵌め込まれ、該オス係合部は、前端における、押圧方向Ｘの両側にそれぞれ押圧アームが引張方向Ｙに沿って延設され、該各押圧アームの末端に係合ブロックが凸設され、通常の状態においては、該係合ブロックがメス部材の係合穴に係合されるオス部材と、
前記オス部材とメス部材との間に、前記引張方向Ｙに沿って設置されると共に、該オス部材及びメス部材を引張方向Ｙの反対両側へ引っ張る力に抵抗するための係合強化構造と、を有するものである。
【０００６】
かかるクイックバックルにおいて、前記掛け溝が、係合方向Ｚに沿ってオス部材のオス係合部とオス連接部との間に凹設され、前記掛けブロックが、係合方向Ｚに沿ってメス部材のメス係合部に凸設され、且つ着脱可能に掛け溝に嵌合されることが好ましい。
【０００７】
かかるクイックバックルにおいて、前記掛けブロックが、係合方向Ｚに沿ってオス部材のオス係合部とオス連接部との間に凸設され、前記掛け溝が、係合方向Ｚに沿ってメス部材のメス係合部に凹設され、且つ着脱可能に掛け溝に嵌合されることが好ましい。
【０００８】
かかるクイックバックルにおいて、前記メス部材のメス係合部に底面と隣接する端面が設けられ、該端面に凹部と連通する引張方向Ｙの開口が形成され、前記係合強化構造の掛けブロックがメス部材のメス係合部の開口に凸設されることが好ましい。
【０００９】
かかるクイックバックルにおいて、前記メス部材のメス係合部はさらに、２つの第一ガイド斜面を有し、該第一ガイド斜面は、底面と内周面の隣接した箇所かつ係合穴の近傍に凹部に向かって斜めに形成され、前記オス部材のオス係合部の押圧アームの係合ブロックに第二ガイド斜面が形成されることが好ましい。
【００１０】
かかるクイックバックルにおいて、前記係合方向Ｚ、押圧方向Ｘ、引張方向Ｙがそれぞれ直角に交差することが好ましい。
【００１１】
かかるクイックバックルにおいて、前記メス部材のメス係合部の押圧方向Ｘの両側にそれぞれ押圧アームが引張方向Ｙに沿って延設され、該各押圧アームに当接ブロックが凸設され、該当接ブロックが選択可能に係合穴に嵌め込まれ、
前記押圧アームの係合ブロックがメス部材の係合穴を通過して押圧アームの当接ブロックと当接することが好ましい。
【考案の効果】
【００１２】
前記構造によれば、本考案のクイックバックルは、オス部材を係合方向Ｚに沿ってメス部材に組み合わせると共に、係合強化構造の掛けブロックを係合方向Ｚに沿って掛け溝に嵌合することにより、オス部材が取り付けられたベルトとメス部材が取り付けられたベルトとを共に離れる方向に引っ張ったとしても、その引張力は係合方向Ｚと直角な引張方向Ｙへ逃げることから、そう簡単にオス部材が簡単にメス部材から離脱することはないので、強固な係合効果を提供することができる。
【００１３】
また、本考案に係るクイックバックルは、第一ガイド斜面及び第二ガイド斜面を備えることから、押圧アームの係合ブロックを案内してスムーズに係合穴に嵌合させることができる。
【図面の簡単な説明】
【００１４】
【図１】本考案に係るクイックバックルの斜視図である。
【図２】本考案に係るクイックバックルの上面視分解斜視図である。
【図３】本考案に係るクイックバックルの下面視分解斜視図である。
【図４】本考案に係るクイックバックルにおける係合方向Ｚと押圧方向Ｘの断面図である。
【図５】本考案に係るクイックバックルおける押圧方向Ｘと引張方向Ｙの断面図である。
【図６】本考案に係るクイックバックルにおいて、オス部材を下方からメス部材に組み合わせる状態を示す係合方向Ｚと押圧方向Ｘの断面図である。
【図７】本考案に係るクイックバックルにおいて、オス部材をメス部材に組み合わせた状態を示す押圧方向Ｘと引張方向Ｙの断面図である。
【図８】既存のクイックバックルの斜視図である。
【図９】既存のクイックバックルの分解斜視図である。
【考案を実施するための形態】
【００１５】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１６】
図１乃至図３に示すように、本考案に係るクイックバックルは、縦方向の係合方向Ｚと、押圧方向Ｘと、引張方向Ｙとに基づくと共に、メス部材１０と、オス部材２０と、係合強化構造を有し、その内、係合方向Ｚ、押圧方向Ｘ、引張方向Ｙはそれぞれ直角に交差している。
【００１７】
図１乃至図５に示すように、前記メス部材１０は、メス連接部１１及びメス係合部１２を有し、それらメス連接部１１及びメス係合部１２は、引張方向Ｙに沿って排列するように一体成形され、また、該メス係合部１２は、底面１２１と、端面１２２と、凹部１２３と、内周面１２４と、係合穴１２５と、２つの第一ガイド斜面１２６と、２つの押圧アーム１２７を有し、その内、底面１２１は、端面１２２と隣接され、該凹部１２３は、係合方向Ｚに沿って底面１２１に凹設され、該内周面１２４は、底面１２１と隣接するように凹部１２３の周囲に形成され、該２つの係合穴１２５は、内周面１２４における、押圧方向Ｘの相対する両側に形成され、該２つの第一ガイド斜面１２６は、底面１２１と内周面１２４の隣接した箇所における、押圧方向Ｘの相対する両側かつ係合穴１２５の近傍に凹部１２３に向かって斜めに形成され、該２つの押圧アーム１２７は、メス係合部１２における、押圧方向Ｘの両側に引張方向Ｙに沿って延設され、該各押圧アーム１２７の先端内側に当接ブロック１２７１が凸設され、該当接ブロック１２７１は、選択可能に係合穴１２５に嵌め込まれる。尚、本実施例では、メス部材１０の端面１２２に更に、引張方向Ｙの開口１３が形成され、該開口１３は凹部１２３と連通する。
【００１８】
図１、図２、図４、図５に示すように、前記オス部材２０は、着脱可能に底側からメス部材１０に組み合わせられ、オス連接部２１及びオス係合部２２を有し、それらオス連接部２１及びオス係合部２２は、引張方向Ｙに沿って排列するように一体成形され、そのうちオス係合部２２は、着脱可能にメス係合部１２の凹部１２３に嵌め込まれ、その前端における、押圧方向Ｘの両側にそれぞれ、押圧アーム１２７の間に位置する押圧アーム２２１が引張方向Ｙに沿って延設され、該各押圧アーム２２１の末端に係合ブロック２２１１が凸設され、通常の状態においては、該係合ブロック２２１１がメス部材１０の係合穴１２５を通過して押圧アーム１２７の当接ブロック１２７１と当接され、また、該係合ブロック２２１１に、第一ガイド斜面１２６と同一方向に傾斜する第二ガイド斜面２２１２が形成される。
【００１９】
前記係合強化構造は、オス部材２０とメス部材１０との間かつ引張方向Ｙに沿って設置され、この係合強化構造により、オス部材２０及びメス部材１０をしっかりと組み合わせる状態を保持し、オス部材２０及びメス部材１０をそれぞれ引張方向Ｙの反対両側へ引っ張ると、その引っ張る力を抵抗して強固な係合効果を提供することができ、また、図２、図３、図５に示すように、該係合強化構造は、掛けブロック３１及び掛け溝３２を有し、そのうち掛けブロック３１は、係合方向Ｚに沿ってメス部材１０のメス係合部１２の開口１３に凸設されると共に、該掛け溝３２は、係合方向Ｚに沿ってオス部材２０のオス係合部２２とオス連接部２１との間に凹設され、該掛けブロック３１は着脱可能に掛け溝３２に嵌合される。一方、他の実施例においては、掛けブロック３１を、係合方向Ｚに沿ってオス部材２０のオス係合部２２とオス連接部２１との間に凸設させ、掛け溝３２を、係合方向Ｚに沿ってメス部材１０のメス係合部１２に凹設させてもよい。
【００２０】
図２、図３、図６に示すように、オス部材２０及びメス部材１０を組み合わせる時は、オス部材２０を係合方向Ｚに沿って下方からメス部材１０に嵌め合わせる。この時、押圧アーム２２１の第二ガイド斜面２２１２が第一ガイド斜面１２６と接触しながら摺動することによって、２つの押圧アーム２２１が押圧方向Ｘに沿って互いに接近するように変形する。続いて、図４及び図６に示すように、オス部材２０のオス係合部２２をメス部材１０のメス係合部１２の凹部１２３に嵌め込む。この時、押圧アーム２２１の係合ブロック２２１１が押圧アーム２２１の弾力により押圧方向Ｘに沿って復位して係合穴１２５に係合されると共に、掛けブロック３１が掛け溝３２に嵌め込まれることによって、オス部材２０がメス部材１０に係合される。この構成によれば、オス部材２０のオス連接部２１が取り付けられたベルトとメス部材１０のメス連接部１１が取り付けられたベルトとが強固に連結されるので、引張方向Ｙに引っ張られても離れることはない。
【００２１】
一方、図１、図５、図７に示すように、オス部材２０及びメス部材１０を取り外す時は、まずメス部材１０の２つの押圧アーム１２７を互いに接近するように押圧して、当接ブロック１２７１により押圧方向Ｘに沿って押圧アーム２２１の係合ブロック２２１１を押し付け、押圧アーム２２１の係合ブロック２２１１を係合穴１２５から離脱させて、図２及び図３に示すように、オス部材２０及びメス部材１０を係合方向Ｚに沿って離間させることにより、掛けブロック３１を掛け溝３２から離間させる。この構造によれば、オス部材２０及びメス部材１０を簡単に取り外すことができる。
【００２２】
更に、本考案に係るクイックバックルを操作する時は、オス部材２０を係合方向Ｚに沿ってメス部材１０に組み合わせると共に、係合強化構造の掛けブロック３１を係合方向Ｚに沿って掛け溝３２に嵌合する。この構造によれば、オス部材２０のベルトとメス部材１０のベルトとを互いに反対方向に引っ張っても、その引張力は係合方向Ｚと直角な引張方向Ｙへ逃げることから、オス部材２０がメス部材１０から離脱することはないので、強固な係合効果を提供することができる。
【００２３】
また、図４及び図５に示すように、本考案に係るクイックバックルは、第一ガイド斜面１２６及び第二ガイド斜面２２１２を備えることから、押圧アーム２２１の係合ブロック２２１１をスムーズに案内して係合穴１２５に嵌合させるので、操作が非常に楽である。
【符号の説明】
【００２４】
Ｚ       係合方向
Ｘ       押圧方向
Ｙ       引張方向
１０     メス部材
１１     メス連接部
１２     メス係合部
１２１  底面
１２２  端面
１２３  凹部
１２４  内周面
１２５  係合穴
１２６  第一ガイド斜面
１２７  押圧アーム
１２７１           当接ブロック
１３     開口
２０     オス部材
２１     オス連接部
２２     オス係合部
２２１  押圧アーム
２２１１           係合ブロック
２２１２           第二ガイド斜面
３１     掛けブロック
３２     掛け溝
【図１】
0003196242.tif 000003
【図２】
0003196242.tif 000004
【図３】
0003196242.tif 000005
【図４】
0003196242.tif 000006
【図５】
0003196242.tif 000007
【図６】
0003196242.tif 000008
【図７】
0003196242.tif 000009
【図８】
0003196242.tif 000010
【図９】
0003196242.tif 000011